(57)【要約】【課題】コップに飲料液が残存しない状態にして、多数のコップを積み重ねた状態で素早く回収することができるコップ回収ボックスを提供する。【解決手段】上方に設けられた天板２と下方に設けられた残液トレイ３との間にて側方に開放された空間Ｓを有する筐体４と、該筐体の前記天板２に取り付けられる部材であってコップＣを伏せた縦状に挿入する挿入口５を備えてなる挿入口部材６と、該挿入口部材の前記挿入口の周囲に間隔をあけて垂下された複数の吊下線材７、７…によって吊設されてなる受板８とを有し、該受板には前記筐体４の外方に向けて開放されることにより指を挿入可能とした凹部９が設けられ、該凹部の両側に設けられた吊下線材７ａ、７ｂは、垂直状に伸縮性を有する線材からなる。【選択図】図１
2010195595.tif 000002
【特許請求の範囲】
【請求項１】
上方に設けられた天板と下方に設けられた残液トレイとの間にて側方に開放された空間を有する筐体を備えたコップ回収ボックスにおいて、
前記筐体の天板に取り付けられる部材であってコップを縦状に挿入する挿入口を備えてなる挿入口部材と、該挿入口部材の前記挿入口の周囲に間隔をあけて垂下された複数の吊下線材によって吊設されてなる受板とを有し、該受板には前記筐体の外方に向けて開放されることにより指を挿入可能とした凹部が設けられ、該凹部の両側に設けられた吊下線材は伸縮性を有する線材からなり、
前記受板の凹部に指先を入れることによって該受板上に積み重ねられた全てのコップを一度に持ち上げることを可能とし、
前記伸縮性を有する両側の吊下線材を左右に広げることによって開放された取出口から前記受板上に積み重ねられたコップを外方へ取り出し可能としたことを特徴とするコップ回収ボックス。
【請求項２】
前記伸縮性を有する吊下線材以外の吊下線材は剛性の線材から構成されて成ることを特徴とする請求項１記載のコップ回収ボックス。
【発明の詳細な説明】
【技術分野】
【０００１】
本発明は、使用済みのコップを積み重ねた状態に回収するコップ回収ボックスに関する。
【背景技術】
【０００２】
競技場やコンサート会場等のように、大勢の人が集まる場所においては、大量の使用済みコップが投棄されるため、それらの使用済みコップを備え付けのゴミ箱等に無造作に捨てると、回収作業が煩雑になる。このため、使用済みコップを捨てる際には、整然と積み重ねた状態に回収することが望ましい。
【０００３】
このように、使用済みコップを積み重ねた状態で回収するようにした従来の構成として、特許文献１を参照すると、この文献のコップ回収器は、図６に示すように、床上に載置された固定台３０の上面に円環状の受け部３１が設けられ、この受け部３１に円筒状ホルダ３２を差し込んで立設状態に支持したものである。
【０００４】
このような構成によれば、受け部３１に円筒状ホルダ３２を挿抜き自在にすることができ、円筒状ホルダ３２の内部に投入されたコップＣはその内部で整然と積み重ねられる。ところが、上記の円筒状ホルダには水抜き孔３３を有する底板３４が設けられているため、円筒状ホルダ３２内に積み重ねられたコップＣを取り出すには、受け部３１から夫々の円筒状ホルダ３２を抜き出して逆さにひっくり返すという面倒な作業が必要となる。
【０００５】
また、上記のようなコップの回収作業をできるだけ省力化するものとして、特許文献２に記載されたコップの回収用収納具は、図７に示すように、上方開放状の本体容器３５と、本体容器３５の内部に取り外し可能に内装したゴミ袋３６と、ゴミ袋３６の中に出し入れ可能とした収納筒状体群３７とを備え、この収納筒状体群３７は使い捨てコップＣを縦向きに投入可能な投入口３８を上部に有し、その底部に開放口を有する複数本の収納筒状体３９と、隣り合う収納筒状体３９、３９同士を結合するプラスチックスナップ４０等の結合手段とを有するものである。
【０００６】
このような構成においては、夫々の収納筒状体３９の内部に投入されることによって積み重ねられたコップＣを回収するために、複数本の収納筒状体３９、３９…が結合されてなる収納筒状体群３７を持ち上げる作業を必要とし、この作業によって各収納筒状体３９の内部に積み重ねられたコップＣは夫々の収納筒状体３９、３９…の底部の開放口を経て、本体容器３５に設けられたゴミ袋３６の内部に残存することになる。しかしながら、上記のように複数本の収納筒状体３９、３９…からなる収納筒状体群３７を持ち上げる作業には非常な労力を要するうえ、コップＣの内部に飲料液が残っていると、その水分が廃棄されない状態でゴミ袋３６に残存するという不都合な事態を招くことになる。
【先行技術文献】
【特許文献】
【０００７】
【特許文献１】特開２０００−５３２０５号公報
【特許文献２】特開２００４−１４２９３１号公報
【発明の概要】
【発明が解決しようとする課題】
【０００８】
本発明は、上記の事情に鑑みてなされたもので、コップに飲料液が残存しない状態にして、多数のコップを積み重ねた状態で容易に素早く回収することができるコップ回収ボックスを提供することを目的とする。
【課題を解決するための手段】
【０００９】
上記の目的を達成するために、本発明の請求項１のコップ回収ボックスは、上方に設けられた天板と下方に設けられた残液トレイとの間にて側方に開放された空間を有する筐体を備えたコップ回収ボックスにおいて、前記筐体の天板に取り付けられる部材であってコップを縦状に挿入する挿入口を備えてなる挿入口部材と、該挿入口部材の前記挿入口の周囲に間隔をあけて垂下された複数の吊下線材によって吊設されてなる受板とを有し、該受板には前記筐体の外方に向けて開放されることにより指を挿入可能とした凹部が設けられ、該凹部の両側に設けられた吊下線材は伸縮性を有する線材からなり、前記受板の凹部に指先を入れることによって該受板上に積み重ねられた全てのコップを一度に持ち上げることを可能とし、前記伸縮性を有する両側の吊下線材を左右に広げることによって開放された取出口から前記受板上に積み重ねられたコップを外方へ取り出し可能としたことを特徴とする。
【００１０】
また、本発明の請求項２のコップ回収ボックスは、請求項１において、前記伸縮性を有する吊下線材以外の吊下線材は剛性の線材から構成されて成ることを特徴とする。
【発明の効果】
【００１１】
以上のように、本発明のコップ回収ボックスによれば、筐体の天板に設けられた挿入口部材の挿入口の周囲に間隔をあけて垂下された複数の吊下線材によって受板が吊設された構成とされているため、挿入口から伏せた縦状の状態で投下されたコップの落下姿勢を崩すことなく受板上に整然と積み重ねることができる。また、そのようなコップの重積体を取り出す際、受板の凹部に作業者の指を挿入して最下端のコップを下方から持ち上げることにより、その列に積み重ねられた全てのコップを一度に持ち上げることができる。さらに、両側の伸縮性の吊下線材を広げることによって開放された取出口から、受板上に積み重ねられたコップを外方へ取り出すという容易で素早い作業によってコップの回収作業を迅速に行うことが可能となる。
【００１２】
また、使用済みのコップ内に飲料液が残っていたとしても、コップを伏せた状態で投下したとき、コップ内の残液は筐体の残液トレイ上に流下し、コップ内には液が残らずに積み重ねられるため、作業者による回収の際に、液が飛び散るおそれもなく、衛生的且つ効率的に回収することが可能となる。
【００１３】
また、本発明のコップ回収ボックスは、天板の下方が開放され、コップの重積状態が容易に目視できるため、使用済みコップを棄てる際には、上方に空きがある状態の挿入口へコップを投下することによって、コップの重積状態を均等にすることができる。また、回収作業を行う際にも、作業者は、コップの重積状態を目視で確認できるという利便性を有するものである。
【図面の簡単な説明】
【００１４】
【図１】本発明の実施例におけるコップ回収ボックスを示す全体斜視図である。
【図２】本発明の実施例におけるコップ回収ボックスを示す上面図である。
【図３】(ａ)は本発明の実施例におけるコップ回収ボックスを示す正面図であり、(ｂ)はその側面図である。
【図４】本発明の実施例におけるコップ回収ボックスの挿入口部材と複数の吊下線材と受板とからなる単体の構造を示す斜視図であり、(ａ)は両側の伸縮性を有する吊下線材をクロス状に設けたものであり、(ｂ)はクロス状の吊下線材を広げて取出口を開放した状態を示し、(ｃ)は伸縮性を有する吊下線材を垂直状に設けたものである。
【図５】(ａ)、(ｂ)は本発明の実施例におけるコップ回収ボックスの背部に取付ける案内用掲示板の取付構造を示す部分図である。
【図６】特許文献１に関するコップ回収器の部分断面正面図である。
【図７】特許文献２に関するコップの回収用収納具の斜視図である。
【発明を実施するための形態】
【００１５】
以下、本発明の実施例について図面を参照しながら説明する。
【実施例１】
【００１６】
本発明のコップ回収ボックス１は、図１に示すように、上方に設けられた天板２と下方に設けられた残液トレイ３との間にて側方に開放された空間Ｓを有する筐体４と、該筐体４の天板２に取り付けられる部材であってコップＣを伏せた縦状に挿入する挿入口５を備えてなる挿入口部材６と、該挿入口部材６の挿入口５の周囲に間隔をあけて垂下された複数の吊下線材７、７…によって吊設されてなる受板８とを有し、該受板８には筐体４の外方に向けて開放されることにより指を挿入可能とした凹部９が設けられ、該凹部９の両側に設けられた吊下線材７ａ、７ｂは伸縮性を有する線材からなるものである。
【００１７】
なお、図１又は図４において、コップＣは図面を分かり易くするため透視状に描いてあるが、プラスチック製コップや紙コップ等、その材質を問わずに使用可能である。
【００１８】
このような本実施例のコップ回収ボックス１について詳細に述べると、図１〜図３に示すように、筐体４は、夫々が矩形を成す両側支持枠１１、１１間の上方に平行に設けられた天板２と下方に平行に設けられた残液トレイ３とを有してなり、この残液トレイ３の下部四方にはストッパ付きのキャスター１２、１２…が設けられたことによって筐体４を移動可能とし、また停止可能としている。さらに両側の支持枠１１、１１が天板２よりも上方に突出した押さえ部１１ａを有することによって、この筐体４を移動する際に、押さえ部１１ａを握って押したり引いたりするのに利便とされている。
【００１９】
天板２と残液トレイ３との間は、外方に開放された空間Ｓ（図１参照）を有する。このため、後述するように、夫々の受板８の上部に積み重ねられたコップＣの重なり状況を外方から確認したり、天板２の下方に手を差し延べてコップＣを外方へ取り出すことが容易とされている。また、残液トレイ３は、零れた飲料液が外部に漏れないように、その内部全体が凹状底部３ａを有するものとされている。
【００２０】
上記の天板２には、コップＣを伏せた縦状に挿入する挿入口５を備えてなる挿入口部材６が設けられている。この挿入口部材６は、図１に示すように、天板２に複数設けられてなるものであるが、この挿入口部材６の取付け数は天板２の広さとも関係するものである。
【００２１】
図４(ａ)〜(ｃ)には、挿入口部材６と複数の吊下線材７、７…と受板８とからなる単体の構成（以下、「回収体１０」という）が図示してあり、このような回収体１０が天板２に設けられた貫通孔１３（図１参照）に挿入されると共に、図１に示すように、挿入口部材６の一箇所に形成された孔６ａにネジ１４を挿入して貫通孔１３の近傍にネジ止めされることによって固定される。このような構成によって、挿入口部材６と複数の吊下線材７、７…と受板８とからなる回収体１０を単体の構造として取付け作業を行うことができ、また交換することが可能となる。
【００２２】
図４（ａ）において、挿入口部材６の周囲には間隔をあけて複数の吊下線材７、７…が垂下され、これらの吊下線材７、７…の下端に受板８が固定されたことにより、この受板８は複数の吊下線材７、７…によって残液トレイ３の近傍の上方中空位置に吊設された構成（図３（ａ）参照）とされている。また、夫々の受板８には凹形状であって受板８の中心付近から筐体４の外方に向けて開放された凹部９が形成されている。
【００２３】
このような構成において、夫々の吊下線材７、７…は、周状に複数設けられたことによって、挿入口５から伏せた状態で縦状に投下されたコップＣの姿勢を保った状態で落下させることが可能となる。また、図４(ａ)に示すように、挿入口５からコップＣが伏せられた状態で投下され、受板８上に次々と積み重ねられたコップＣの重積体を取り出す際に、図４(ｂ)に示すように、受板８の凹部９に作業者の指（図４(ｃ)には指の代わりに矢印１５を示してある）を入れ、その指で最下端のコップＣを下方から持ち上げることにより、その列に積み重ねられた全てのコップＣ、Ｃ…が一度に持ち上げられることになる。
【００２４】
本実施例においては、挿入口部材６の周囲に吊設された複数の吊下線材７、７…のうち、受板８の凹部９の両側に設けられた吊下線材７ａ、７ｂは、ゴム材又は弾性線材を細径コイル状に形成して伸縮性を有する線材等から構成されている。なお、伸縮性を有する吊下線材７ａ、７ｂ以外の吊下線材７、７…は剛性の金属線材や合成樹脂製の線材から構成することによって、受板８の取付位置を残液トレイ３の近傍の上方中空位置に保つようにしている。
【００２５】
また、上記の伸縮性を有する吊下線材７ａ、７ｂは、図４(ｃ)に示すように垂直状に設けるほか、図４(ａ)に示すように上方の挿入口部材６と下方の受板８との間でクロス状に張設するのが好ましい。これによって、受板８上に積み重ねられたコップＣの重積体が外方へ倒伏するのを防止することができる。即ち、受板８上に積み重ねられたコップＣの重積体は嵩が高くなるほど倒伏しやすいものであるが、両側の吊下線材７ａ、７ｂをクロス状に張設することによって、コップＣの重積体がこれらの吊下線材７ａ、７ｂを伸ばして外方へ倒れることがないようにしたものである。
【００２６】
また、本実施例においては、図１に示すように、筐体４の側部にコップＣ内の飲み残し液を廃棄する残液タンク１６が取り外し自在に設けられている。即ち、筐体４の側部には側板１７が設けられ、この側板１７の上部に左右に離間して吊下げピン１８、１８が固定され、この吊下げピン１８に残液タンク１６の背部に形成された左右の孔１６ａ、１６ａを引っ掛けることにより取り外し自在に固定することができる。
【００２７】
また、残液タンク１６の内部上方には多数の細孔１９ａ、１９ａ…を有する板部材１９が設けられ、コップＣ内の残液をこの残液タンク１６に捨てる際、液以外のものが残液タンク１６内に入らないようにし、残液タンク１６の下部に設けられたドレン２０が詰ることがないようにしている。なお、このドレン２０はドレンバルブを備え、残液タンク１６内の液を排出可能としている。
【００２８】
さらに、本実施例においては、図１に示すように、コップ回収ボックス１の背部に案内用掲示板２２を設けるのが好ましい。なお、以下の説明において、案内用掲示板２２の取付構造は左右対称であるため、図５（ａ）、(ｂ)には、片側の構造のみを示してある。
【００２９】
図５（ａ）に示す構造は、コップ回収ボックス１の両側支持枠１１、１１の背部側の天板２上方に縦溝２３、２３が対向するように形成されたもので、これらの両側の縦溝２３、２３に四角形をなす案内用掲示板２２の左右の各端部を挿入することによって、案内用掲示板２２をコップ回収ボックス１の背部に垂直状に立設するようにしたものである。また、図５(ｂ)に示す構造は、上記のように縦溝２３を形成することなく、両側支持枠１１、１１に断面コ字形の金具２４、２４を縦状に固定したものであり、上記構成と同様に、これらの両側の金具２４、２４の溝内に案内用掲示板２２の左右の各端部を挿入するようにしたものである。なお、いずれの構成においても、案内用掲示板２２を上方に持ち上げることによって抜き出すことができ、他の案内用掲示板との交換や改修等を行うことが可能である。
【００３０】
なお、上記の案内用掲示板２２は、使用済みコップを投入する際の諸注意を促すためにも有用であり、例えば、図１に示すように、案内用掲示板２２の表面に、「紙コップリサイクル実施中！」と記載することによって、使用済み紙コップの回収を促進し、また、特に重要なことは、使用済みコップＣを捨てる際、コップ内の残液を残液タンク１６に棄てさせたり、コップＣを伏せた状態にして各挿入口５、５…へ投入するように促す表示を行うことによって、本実施例のコップ回収ボックス１に存する機能をより確実に発揮することが可能となる。
【００３１】
上記のように構成されたコップ回収ボックス１を使用するには、図１において、コップＣ内に飲料液が残っているときは、残液タンク１６に棄て、中身が空となったコップＣを天板２の挿入口５から伏せた状態で投下すると、受板８上に、コップＣが縦状に伏せられた状態で積み重ねられる。この際、コップＣ内に飲料液が残っていたとしても、コップＣを伏せたときにコップＣ内の残液は残液トレイ３の凹状底部３ａに流下し、コップＣ内には液が残らないため、作業者による回収作業の際、液が飛び散るおそれがなく、積み重ねられたコップＣ、Ｃ…を衛生的に素早く取り出して回収することが可能となる。
【００３２】
また、本実施例のコップ回収ボックス１は、図１に示すように、天板２の下方が開放され、コップＣの重積状態が容易に目視できるため、飲料者がコップＣを棄てる際には、上方に空きがある挿入口５へコップＣを投下することによって、夫々の回収体１０におけるコップＣの重なり状態が均等なものとなる。また、回収作業を行う際にも、作業者はコップＣの重積状態を外方から目視で確認できる。
【００３３】
さらに、積み重ねたコップＣを受板８上から取り出すには、図４(ｂ)に示すように、両側の伸縮性の吊下線材７を矢印のように左右に広げるだけで取出口２１が開放状態になり、受板８の凹部９に指先を入れて最下方のコップＣを持ち上げるだけで、その列に積み重ねられたコップＣ、Ｃ…を取出口２１から一度に取り出すことが可能となる。
【産業上の利用可能性】
【００３４】
本発明のコップ回収ボックスは、使用済みのコップを伏せた状態に積み重ねることによって飲料液が残存しない状態に回収すると共に、この積み重ねられたコップを容易に素早く取り出すことができるコップ回収ボックスとして利用可能であり、特に競技場やコンサート会場等のように大勢の人が集まる場所において大量の使用済みコップを回収する必要がある際に利便なコップ回収ボックスとして利用することが可能である。
【符号の説明】
【００３５】
１  コップ回収ボックス
２  天板
３  残液トレイ
４  筐体
５  挿入口
６  挿入口部材
７  吊下線材
７ａ、７ｂ  吊下線材
８  受板
９  凹部
１０  回収体
１１  支持枠
１１ａ  押さえ部
１２  キャスター
１３  貫通孔
１４  ネジ
１５  矢印
１６  残液タンク
１６ａ  孔
１７  側板
１８  吊下げピン
１９  板部材
１９ａ  細孔
２０  ドレン
２１  取出口
２２  案内用掲示板
２３  縦溝
２４  断面コ字形の金具
Ｃ  コップ
Ｓ  空間
【図１】
2010195595.tif 000003
【図２】
2010195595.tif 000004
【図３】
2010195595.tif 000005
【図４】
2010195595.tif 000006
【図５】
2010195595.tif 000007
【図６】
2010195595.tif 000008
【図７】
2010195595.tif 000009